(57)【要約】      （修正有）【課題】フューエルリッドの開放動作等に供される押上装置において、操作者がプッシュロッドを操作した際にクリック感を発生させることにより、操作フィーリングを向上させる。【解決手段】押上装置は、プッシュロッド２に形成された係止片１８と、係止片１８を駆動するカムアッパ２２およびカムロア２４とを備え、プッシュロッド２は、その係止片１８が第１カム面と第２カム面とのガイド間隙Ｇに保持された状態で、カムアッパ２２およびカムロア２４に対して相対回転可能であり、また、ガイド間隙Ｇには係止片１８の通過可能幅よりも小さい狭小部Ｎ１が設けられ、カムアッパ２２は、係止片がガイド間隙の狭小部Ｎ１を通過する際に狭小部Ｎ１を拡げるように変位する構成とする。【選択図】図４Ｂ
2011005951.tif 000002
【特許請求の範囲】
【請求項１】
プッシュロッドを引込位置と突出位置とに切り替えるプッシュ・プッシュ機構を備えた押上装置であって、
前記プッシュロッドに形成されたカムフォロアと、
前記プッシュロッドの突出位置側において前記カムフォロアを駆動する環状の第１カム面を有する突出側カムと、
前記第１カム面に対向して配置された環状の第２カム面を有し、前記プッシュロッドの引込位置側において当該第２カム面が前記カムフォロアを駆動する引込側カムと
を備え、
前記プッシュロッドは、その移動の際に、前記カムフォロアが前記第１カム面と前記第２カム面との間に形成されるガイド間隙に保持された状態で、前記突出側カムおよび前記引込側カムに対して相対回転可能であり、
前記ガイド間隙には前記カムフォロアの通過可能幅よりも小さい狭小部が設けられ、前記突出側カムと前記引込側カムとの少なくとも一方は、前記カムフォロアが前記ガイド間隙の狭小部を通過する際に当該狭小部を拡げるように変位することを特徴とする押上装置。
【請求項２】
前記プッシュロッドを前記突出位置側に付勢する第１付勢手段と、
前記突出側カムと前記引込側カムとの一方を他方に向けて付勢する第２付勢手段と
を更に備え、
前記第２付勢手段は、前記第１付勢手段よりも小さな付勢力を有することを特徴とする、請求項１に記載の押上装置。
【請求項３】
前記突出側カムと前記引込側カムとは、前記プッシュロッドが前記突出位置と前記引込位置との間で移動する際に回転動作することを特徴とする、請求項１または請求項２に記載の押上装置。
【発明の詳細な説明】
【技術分野】
【０００１】
本発明は、プッシュロッドを引込位置と突出位置とに切り替えるプッシュ・プッシュ機構を備えた押上装置に係り、特に、車体に設けられるフューエルリッドの開放動作を行うのに好適な押上装置に関するものである。
【０００２】
自動車には、給油口を保護する蓋として、ボディシェルの開口部にヒンジ部を介して開閉自在にフューエルリッドが取り付けられている。この種のフューエルリッドの開放動作を行う装置として、プッシュ・プッシュ機構を備え、ロック状態が解除されたフューエルリッドをプッシュロッドにより開放側へ駆動する押上装置が開発されている。
【０００３】
例えば、プッシュ・プッシュ機構として、プッシュロッドがその周囲に固定側の複数のガイド部に順に係脱するカム部を有し、フューエルリッドが閉状態から車体側へ押されると、引込位置にあるプッシュロッドは、その回転によってガイド部及びカム部による保持が解放された後、バネの付勢力により突出してフューエルリッドを押し出す突出位置に移動する回転カム式を採用した押上装置が知られている（特許文献１参照）。
【先行技術文献】
【特許文献】
【０００４】
【特許文献１】特開２００７−２９０５７３号公報
【発明の概要】
【発明が解決しようとする課題】
【０００５】
しかしながら、上記特許文献１に記載された押上装置では、プッシュロッドの位置の切り替え時に音やクリック感を発生させる機構が設けられておらず、操作者は操作を適切に行ったという実感を得難いという課題があった。また、従来の押上装置では、プッシュロッドを突出側に付勢するバネの付勢力が比較的小さな接触面に作用するため、プッシュロッドの円滑な回転動作が阻害される場合があった。
【０００６】
本発明は、このような従来技術の課題を鑑みて案出されたものであり、操作者がプッシュロッドを操作した際にクリック感を発生させることにより、操作フィーリングを向上させた押上装置を提供することを目的とする。
【課題を解決するための手段】
【０００７】
上記課題を解決するためになされた第１の発明は、プッシュロッド（２）を引込位置と突出位置とに切り替えるプッシュ・プッシュ機構を備えた押上装置（１）であって、前記プッシュロッドに形成されたカムフォロア（１８）と、前記プッシュロッドの突出位置側において前記カムフォロアを駆動する環状の第１カム面（２１）を有する突出側カム（２２）と、前記第１カム面に対向して配置された環状の第２カム面（２３）を有し、前記プッシュロッドの引込位置側において当該第２カム面が前記カムフォロアを駆動する引込側カム（２４）とを備え、前記プッシュロッドは、その移動の際に、前記カムフォロアが前記第１カム面と前記第２カム面との間に形成されるガイド間隙（Ｇ）に保持された状態で、前記突出側カムおよび前記引込側カムに対して相対回転可能であり、前記ガイド間隙には前記カムフォロアの通過可能幅よりも小さい狭小部（Ｎ１，Ｎ２）が設けられ、前記突出側カムと前記引込側カムとの少なくとも一方は、前記カムフォロアが前記ガイド間隙の狭小部を通過する際に当該狭小部を拡げるように変位する構成とする。
【０００８】
また、第２の発明として、前記プッシュロッドを前記突出位置側に付勢する第１付勢手段（１２）と、前記突出側カムと前記引込側カムとの一方を他方に向けて付勢する第２付勢手段（３４）とを更に備え、前記第２付勢手段は、前記第１付勢手段よりも小さな付勢力を有することを特徴とする構成とすることができる。
【０００９】
また、第３の発明として、前記突出側カムと前記引込側カムとは、前記プッシュロッドが前記突出位置と前記引込位置との間で移動する際に回転動作する構成とすることができる。
【発明の効果】
【００１０】
上記第１の発明によれば、カムフォロアがガイド間隙の狭小部を通過する際に、当該狭小部を拡げるように突出側カムと引込側カムとの少なくとも一方が変位する構成としたため、操作者がプッシュロッドを操作した際にクリック感を発生させることができ、操作フィーリングが向上するという優れた効果を奏する。
また、上記第２の発明によれば、突出側カムと引込側カムとの一方を他方に向けて付勢する第２付勢手段を設け、しかも第２付勢手段の付勢力を、プッシュロッドを付勢する第１付勢手段の付勢力よりも小さくしたため、操作者がプッシュロッドを操作した際に、突出側カムおよび引込側カムに対するプッシュロッドの円滑な相対回転が阻害されることなく、クリック感を発生させることができる。
また、上記第３の発明によれば、プッシュロッドに必要な押上力を容易に確保することができるとともに、操作者がプッシュロッドを操作した際に、突出側カムおよび引込側カムの回転動作が阻害されることなく、クリック感を発生させることができる。
【図面の簡単な説明】
【００１１】
【図１】実施形態に係る押上装置の分解斜視図である。
【図２】実施形態に係る押上装置の取付状態を示す正面図である。
【図３】実施形態に係る押上装置の断面図である。
【図４Ａ】実施形態に係る押上装置の一動作を示す模式図である。
【図４Ｂ】実施形態に係る押上装置の一動作を示す模式図である。
【図４Ｃ】実施形態に係る押上装置の一動作を示す模式図である。
【図４Ｄ】実施形態に係る押上装置の一動作を示す模式図である。
【図４Ｅ】実施形態に係る押上装置の一動作を示す模式図である。
【図５Ａ】実施形態に係る押上装置の一動作を示す模式図である。
【図５Ｂ】実施形態に係る押上装置の一動作を示す模式図である。
【図５Ｃ】実施形態に係る押上装置の一動作を示す模式図である。
【図５Ｄ】実施形態に係る押上装置の一動作を示す模式図である。
【発明を実施するための形態】
【００１２】
以下、図面を参照しながら、本発明の実施形態に係る押上装置の構成について説明する。説明にあたり、押上装置およびその構成要素は、図２，図３における上下方向にしたがって「上（側）」および「下（側）」を定めるものとする。
【００１３】
押上装置１は、プッシュロッド（押上体）２を引込位置（図２中に２点鎖線で示す）と突出位置（図２中に実線で示す）とに切り替えるプッシュ・プッシュ機構を備え、自動車のフューエルリッドＲ（図２参照）を開放側に駆動する装置として用いられる。押上装置１は、その本体を構成する略円筒状の合成樹脂製のボディ３を有し、このボディ３に収容されたプッシュロッド２の上端側が、ボディ３の頭部４の端面に形成された挿通孔４ａから突出する。ボディ３には、その外周面から一対の固定片５，５が上端側に斜めに突設されており、これらの固定片５，５は車体の板状部材６に対する押上装置１の取り付けに供される。
【００１４】
板状部材６に対する押上装置１の取り付けは、押上装置１の下端側を取付孔６ａに挿入することにより行われる。このとき、固定片５，５は、取付孔６ａを通過する際にボディ３の中心側に折り畳まれるように弾性変形し、取付孔６ａを通過した後に回復して頭部４の下端縁との間に板状部材６を挟持する。これにより、図２に示すように、押上装置１が板状部材６に対して強固に固定される。
【００１５】
ボディ３の頭部４の外側には、キャップ状のゴム製のボディカバー７が取り付けられており、このボディカバー７の端面には、挿通孔４ａと同様の形状を有する挿通孔７ａ（図１参照）が形成されている。また、ボディ３の下端側の開口にはこれを閉鎖する閉鎖部材８が嵌装されている。閉鎖部材８は、その複数の係止爪９がボディ３の係止孔１０に内側から挿入されることによりボディ３に対して固定される。また、閉鎖部材８の上端側にはバネ固定ロッド１１が突設されており、このバネ固定ロッド１１は、圧縮バネからなるメインスプリング１２に挿入された状態で、メインスプリング１２の下端側を固定する。
【００１６】
プッシュロッド２は、合成樹脂材料によって形成され、キャップ状のゴム製のロッドカバー１５が取り付けられた頭部１６と、筒状をなす本体部１７とを有する。本体部１７の下端には３つの係止片１８が形成さている。これら係止片１８は、方形の板状部材からなり、互いに周方向に均等な間隔で、プッシュロッド２の径方向に沿ってそれぞれ配置されている。係止片１８の外周側は、本体部１７の外周面よりも外側に突出し、後述するカムアッパ２２およびカムロア２４との係合部として機能する。本体部１７の外周形状ならびにこれに適合した形状を有する挿通孔４ａは、完全な円形ではなく複数の凹凸を有しており、これにより、ボディ３に対するプッシュロッドの相対回転が規制される。また、プッシュロッド２は、その本体部１７に下端側から挿入されるメインスプリング１２により突出位置側に付勢される。
【００１７】
また、ボディ３には、プッシュロッド２の突出位置側において係止片１８を駆動する環状の第１カム面２１が内周に形成されたカムアッパ２２と、プッシュロッド２の引込位置側において係止片１８を駆動する環状の第２カム面２３が上端に形成されたカムロア２４とが収容されている。カムアッパ２２およびカムロア２４は、係止片１８を駆動することにより、プッシュロッド２を引込位置と突出位置との間で移動可能とする。
【００１８】
カムアッパ２２は、プッシュロッド２が遊嵌される円筒状の部材からなる。また、カムアッパ２２の内周面における段差として形成された縦溝３１および２つの三角状の突起部３２，３３（ともに図４，図５参照）によって第１カム面２１が構成されている。また、カムアッパ２２は、図３に示すように、プッシュロッド２を囲繞した状態でボディ３の頭部４に収容されたサブスプリング３４によって、スリーブ３５を介して下側（カムロア２４側）に付勢されている。スリーブ３５の中央には、挿通孔４ａと同様の形状を有する挿通孔３５ａ（図１参照）が形成されている。
【００１９】
カムロア２４は、バネ固定ロッド１１およびメインスプリング１２が遊嵌される筒状の部材からなる。また、カムロア２４の上端縁に形成された２つの凸部４１，４２および２つの縦溝４３，４４（ともに図４，図５参照）によって第２カム面２３が構成されている。カムロア２４は、その第２カム面２３をカムアッパ２２の第１カム面２１と対向させるようにして、カムアッパ２２の下側に配置され、閉鎖部材８のフランジ部４５上に支持される。また、カムロア２４の外周に形成された複数の規制片４６は、カムアッパ２２の下端縁に形成された複数の切欠き部４７にそれぞれ挿入され、これにより、カムアッパ−２２とカムロア２４との相対回転が規制される。
【００２０】
次に、上記構成の押上装置の動作について図４Ａ〜Ｅ，図５Ａ〜Ｄを参照して説明する。
【００２１】
図４Ａ〜Ｅ，図５Ａ〜Ｄは、カムアッパ２２およびカムロア２４を展開し、第１カム面２１および第２カム面２３の一部を仮想的な平面視で示すものである。図４Ａ〜Ｅは、プッシュロッド２が突出位置から引込位置まで移動する動作を示し、図５Ａ〜Ｄは、プッシュロッド２が引込位置から突出位置まで移動する動作を示している。なお、図４Ａ〜Ｅ，図５Ａ〜Ｄでは、説明の便宜上、プッシュロッド２の係止片１８が第１カム面２１および第２カム面２３にガイドされて移動する態様で示されているが、実際には、係止片１８（プッシュロッド２）は上下方向にのみ移動し、カムアッパ２２およびカムロア２４の回転動作により、第１カム面２１および第２カム面２３が回転移動（図４，図５中では横方向に移動）する。
【００２２】
第１カム面２１は、その構成単位となる縦溝３１および２つの三角状の突起部３２，３３を複数連ねることによって形成されている。突起部３２は２つの傾斜面３２ａ，３２ｂを有しており、また、突起部３３は２つの傾斜面３３ａ，３３ｂを有している。第２カム面２３は、構成単位となる２つの凸部４１，４２および２つの縦溝４３，４４を複数連ねることによって形成されている。第１カム面２１と第２カム面２３との間に形成されるガイド間隙Ｇには、プッシュロッド２の係止片１８が保持されている。
【００２３】
図４Ａはプッシュロッド２が突出位置にある場合を示しており、係止片１８は、カムアッパ２２の縦溝３１の上部（底面）に係止された状態にある。縦溝３１は、軸方向（図４Ａ中の上下方向）において、凸部４１の頂部に形成された傾斜面４１ａに対向して配置されている。このとき、サブスプリング３４（図３参照）の付勢力は、メインスプリング１２に比べて小さく設定されているため、カムアッパ２２は、係止片１８（すなわち、メインスプリング１２の付勢力）により上方に付勢されて上限位置に移動する。
【００２４】
プッシュロッド２を図４Ａの突出位置から引込位置へと移動させる場合には、まず、操作者は、メインスプリング１２の付勢力に抗してプッシュロッド２を押下する。これにより、図４Ｂに示すように、係止片１８は、縦溝３１内を下方に移動してその下端が凸部４１の傾斜面４１ａに当接する。その後、係止片１８は、図４Ｃに示すように、この傾斜面４１ａ上を摺動して斜め下方に移動する。このとき、カムアッパ２２は、メインスプリング１２の付勢が解除されることにより、サブスプリング３４により下方に付勢されて下限位置に移動する。
【００２５】
ここで、図４Ｂに示すように、ガイド間隙Ｇにおいて、突起部３２の頂部とこれに対向する凸部４１の傾斜面４１ａとの間の部位は、係止片１８の通過可能幅よりも小さい狭小部Ｎ１を構成する。したがって、係止片１８は、狭小部Ｎ１を通過する際には、狭小部Ｎ１を拡げるようにサブスプリング３４の付勢力に抗してカムアッパ２２を上方に一旦移動させる。係止片１８が狭小部Ｎ１を通過した後は、カムアッパ２２は、図４Ｃに示すように、再び下限位置に移動する。
【００２６】
このようにして係止片１８が狭小部Ｎ１を通過する際には、カチッという音が発生するとともに、操作者がプッシュロッド２側から受ける反力の変化（すなわち、係止片１８が狭小部Ｎ１を通過する前後で反力が増減少すること）により、クリック感が生じる。
【００２７】
その後、係止片１８は、図４Ｄに示すように、カムロア２４の縦溝４３に収容される。続いて、操作者がプッシュロッド２の押下を解除すると、係止片１８は、上昇して突起部３２の傾斜面３２ｂに当接し、その後、この傾斜面３２ｂ上を摺動して斜め上方に移動する。最終的に、図４Ｅに示すように、係止片１８がカムアッパ２２の突起部３２，３３の境界に保持され、プッシュロッド２の引込位置への移動が完了する。このとき、カムアッパ２２は、係止片１８により上方に付勢されて上限位置に移動する。
【００２８】
一方、プッシュロッド２を図４Ｅの引込位置から突出位置へと移動させる場合には、操作者は、メインスプリング１２の付勢力に抗してプッシュロッド２を再び押下する。これにより、係止片１８は、図５Ａに示すように、下方に移動してその下端が凸部４１の傾斜面４１ａに当接する。その後、係止片１８は、図５Ｂに示すように、この傾斜面４１ａ上を摺動して斜め下方に移動する。
【００２９】
ここで、図５Ｂに示すように、ガイド間隙Ｇにおいて、突起部３３の頂部とこれに対向する凸部４１の傾斜面４１ａとの間の部位は、係止片１８の通過可能幅よりも小さい狭小部Ｎ２を構成する。したがって、係止片１８は、狭小部Ｎ２を通過する際には、上述の狭小部Ｎ１の場合と同様に、狭小部Ｎ２を拡げるようにカムアッパ２２を上方に一旦移動させる。係止片１８が狭小部Ｎ２を通過した後は、図５Ｂに示すように、カムアッパ２２は再び下限位置に移動する。このようにして係止片１８が狭小部Ｎ２を通過する際には、上述の狭小部Ｎ１の場合と同様に、音およびクリック感が生じる。
【００３０】
その後、係止片１８は、図５Ｃに示すように、カムロア２４の縦溝４４に収容される。続いて、操作者がプッシュロッド２の押下を解除すると、係止片１８は、上昇して突起部３３の傾斜面３３ｂに当接し、その後、この傾斜面３２ｂ上を摺動して斜め上方に移動する。最終的に、図５Ｄに示すように、係止片１８がカムアッパ２２の縦溝３１に保持され、プッシュロッド２の突出位置への移動が完了する。
【００３１】
なお、上記のような押上装置１の移動動作により、フューエルリッドＲの閉鎖および開放動作が実行される。すなわち、上記図４Ａ〜図４Ｄでは、操作者が、開放状態にあるフューエルリッドＲ（図２中の実線で示す）を介してプッシュロッド２を押下する。これにより、図２中の２点鎖線で示すように、フューエルリッドＲが閉鎖状態となる。また、上記図５Ａ〜図５Ｄでは、操作者が、閉鎖状態にあるフューエルリッドＲを介してプッシュロッド２を押下する。これにより、フューエルリッドＲが再び開放状態となる。
【００３２】
上記構成の押上装置１では、係止片１８がガイド間隙Ｇの狭小部Ｎ１，Ｎ２を通過する際に、カムアッパ２２がサブスプリング３４の付勢力に抗して狭小部Ｎ１，Ｎ２を拡げるように上方に変位する構成としたため、操作者がプッシュロッドを操作した際に音およびクリック感を発生させることができ、操作フィーリングが向上する。
【００３３】
また、上記押上装置１では、カムアッパ２２を下方に付勢するサブスプリング３４の付勢力を、プッシュロッド２を上方に付勢するメインスプリング１２の付勢力よりも小さくしたため、操作者がプッシュロッド２を操作した際に、カムアッパ２２およびカムロア２４の円滑な回転が阻害されることがないという利点もある。
【００３４】
さらに、上記押上装置１では、カムアッパ２２およびカムロア２４を回転させる構成としたため、メインスプリング１２の付勢力を増大させてもカムアッパ２２およびカムロア２４の円滑な回転が阻害されることはなく、必要な駆動力を容易に確保できるという利点もある。
【００３５】
本発明を特定の実施形態に基づいて詳細に説明したが、上記実施形態はあくまでも例示であって、本発明はこれらの実施形態によって限定されるものではない。例えば、本発明に係る押上装置は、フューエルリッドに限らず、任意の対象を駆動するために用いることができる。また、係止片の狭小部の通過時に当該狭小部を拡げる動作は、上述のカムアッパの移動に限らず、カムロアの移動や、カムアッパまたはカムロア自身の弾性変形により実現することもできる。
【符号の説明】
【００３６】
１  押上装置
２  プッシュロッド
３  ボディ
６  板状部材
６ａ  取付孔
８  閉鎖部材
１２  メインスプリング（第１付勢手段）
１８  係止片（カムフォロア）
２１  第１カム面
２２  カムアッパ（突出側カム）
２３  第２カム面
２４  カムロア（引込側カム）
３１  縦溝
３２，３３  突起部
３４  サブスプリング（第２付勢手段）
４１  凸部
４３，４４  縦溝
Ｇ  ガイド間隙
Ｎ１，Ｎ２  狭小部
Ｒ  フューエルリッド  
【図１】
2011005951.tif 000003
【図２】
2011005951.tif 000004
【図３】
2011005951.tif 000005
【図４Ａ】
2011005951.tif 000006
【図４Ｂ】
2011005951.tif 000007
【図４Ｃ】
2011005951.tif 000008
【図４Ｄ】
2011005951.tif 000009
【図４Ｅ】
2011005951.tif 000010
【図５Ａ】
2011005951.tif 000011
【図５Ｂ】
2011005951.tif 000012
【図５Ｃ】
2011005951.tif 000013
【図５Ｄ】
2011005951.tif 000014